(57)【要約】【課題】無線通信装置に電力を供給する二次電池の充電量を適切に制御することが可能な車両用充電量制御装置を提供すること。【解決手段】無線通信装置に電力を供給する二次電池を充電する充電手段（３０、３２）と、自車両の進行先における電波状態を取得する電波状態取得手段（４２Ｂ、４６）と、電波状態取得手段により取得された電波状態が悪くなるのに応じて、二次電池の充電を促進するように充電手段を制御する制御手段（５０）と、を備える車両用充電量制御装置（１）。【選択図】図１
2009001123.tif 000002
【特許請求の範囲】
【請求項１】
無線通信装置に電力を供給する二次電池を充電する充電手段と、
自車両の進行先における電波状態を取得する電波状態取得手段と、
該電波状態取得手段により取得された電波状態が悪くなるのに応じて、前記二次電池の充電を促進するように前記充電手段を制御する制御手段と、
を備える車両用充電量制御装置。
【請求項２】
請求項１に記載の車両用充電量制御装置であって、
自車両の現在位置を特定する現在位置特定手段と、
前記現在位置特定手段により特定された自車両の現在位置から、ユーザーにより設定される目的地に至るまでの推奨経路を設定する推奨経路設定手段と、を備え、
前記電波状態取得手段は、前記推奨経路設定手段により設定された推奨経路上の電波状態を、自車両の進行先における電波状態として取得する手段である、
車両用充電量制御装置。
【請求項３】
請求項１又は２に記載の車両用充電量制御装置であって、
自車両の進行先における電波状態が所定程度悪いエリアと自車両との距離を特定可能な距離特定手段を更に備え、
前記制御手段は、前記距離特定手段により特定された距離が大きくなるほど、充電速度が緩やかになるように前記充電手段を制御する手段である、
車両用充電量制御装置。
【請求項４】
請求項１ないし３のいずれかに記載の車両用充電量制御装置であって、
自車両から、自車両の進行先における電波状態が所定程度悪いエリアに至るまでの到達時間を特定可能な到達時間特定手段を更に備え、
前記制御手段は、前記到達時間特定手段により特定された到達時間が大きくなるほど、充電速度が緩やかになるように前記充電手段を制御する手段である、
車両用充電量制御装置。
【発明の詳細な説明】
【技術分野】
【０００１】
本発明は、無線通信装置に電力を供給する二次電池の充電量を制御する車両用充電量制御装置に関する。
【背景技術】
【０００２】
従来、ハイブリッド車両の走行用モータに電力供給するバッテリの充電量を、走行スケジュールに応じて制御するハイブリッド車両についての発明が開示されている（例えば、特許文献１参照）。この車両では、目的地までの距離や、坂路の存在に応じて必要な充電量を算出し、これに基づいて走行前にバッテリを充電するものとしている。
【特許文献１】特開平８−２３７８１０号公報
【発明の開示】
【発明が解決しようとする課題】
【０００３】
ところで、車両には、走行用のモータを備えるか否かに拘らず、無線通信装置や空調装置等の車載機器に電力を供給するバッテリが搭載されるのが通常である。そして、走行用のモータに電力を供給するバッテリが搭載される場合、機器に適合する電圧値の相違から、無線通信装置や空調装置等の車載機器に電力を供給するバッテリとは別のバッテリが搭載されるのが通常である。
【０００４】
無線通信装置や空調装置等の車載機器に電力を供給するバッテリの充電量制御に対して、上記特許文献１に記載のハイブリッド車両におけるバッテリ充電量制御を適用するのは、適切ではない。以下にその理由を述べる。
【０００５】
近年、車両に搭載された無線通信装置と車外設備との間で情報の送受信を行なって、車両側に各種サービスを提供する情報サービスシステムが普及しつつあり、この各種サービスの中には、車両の事故時等における緊急通報の受付、及びサービス車両の派遣等が含まれる。そして、こうした緊急通報は常時可能な状態である必要があるため、無線通信装置等に電力を供給するバッテリの充電量は、上記特許文献１に記載のハイブリッド車両の如く、車両の走行スケジュールに応じて必要十分な充電量があればよいという性質のものではないからである。
【０００６】
本発明はこのような課題を解決するためのものであり、無線通信装置に電力を供給する二次電池の充電量を適切に制御することが可能な車両用充電量制御装置を提供することを、主たる目的とする。
【課題を解決するための手段】
【０００７】
上記目的を達成するための本発明の一態様は、無線通信装置に電力を供給する二次電池を充電する充電手段と、自車両の進行先における電波状態を取得する電波状態取得手段と、電波状態取得手段により取得された電波状態が悪くなるのに応じて、二次電池の充電を促進するように充電手段を制御する制御手段と、を備える車両用充電量制御装置である。
【０００８】
ここで、無線通信装置は、例えば、車両の事故時等における救援要請のための通報である、緊急通報を行なうことを役割の一つとする無線通信装置である。この場合、「二次電池の充電を促進する」とは、例えば、緊急通報に必要な電力を供給可能である状態まで充電することを意味する。
【０００９】
この本発明の一態様によれば、自車両の進行先における電波状態を予め取得しておき、自車両の進行先における電波状態が悪くなるのに応じて、予め二次電池の充電を促進することが可能となるため、二次電池の急速充電を回避することができ、二次電池の劣化を抑制することができる。従って、二次電池の充電量を適切に制御することができる。
【００１０】
本発明の一態様において、自車両の現在位置を特定する現在位置特定手段と、現在位置特定手段により特定された自車両の現在位置から、ユーザーにより設定される目的地に至るまでの推奨経路を設定する推奨経路設定手段と、を備え、電波状態取得手段は、推奨経路設定手段により設定された推奨経路上の電波状態を、自車両の進行先における電波状態として取得する手段であるものとしてもよい。
【００１１】
また、本発明の一態様において、自車両の進行先における電波状態が所定程度悪いエリアと自車両との距離を特定可能な距離特定手段を更に備え、制御手段は、距離特定手段により特定された距離が大きくなるほど、充電速度が緩やかになるように充電手段を制御する手段であるものとしてもよい。
【００１２】
また、本発明の一態様において、自車両から、自車両の進行先における電波状態が所定程度悪いエリアに至るまでの到達時間を特定可能な到達時間特定手段を更に備え、制御手段は、到達時間特定手段により特定された到達時間が大きくなるほど、充電速度が緩やかになるように充電手段を制御する手段であるものとしてもよい。
【発明の効果】
【００１３】
本発明によれば、無線通信装置に電力を供給する二次電池の充電量を適切に制御することが可能な車両用充電量制御装置を提供することができる。
【発明を実施するための最良の形態】
【００１４】
以下、本発明を実施するための最良の形態について、添付図面を参照しながら実施例を挙げて説明する。
【実施例】
【００１５】
以下、本発明の一実施例に係る車両用充電量制御装置１について説明する。
【００１６】
［構成］
図１は、車両用充電量制御装置１の全体構成の一例を示す図である。車両用充電量制御装置１は、無線通信装置１０に電力を供給する二次電池２０の充電量を制御する装置であり、主要な構成として、電流センサー２２と、オルタネータ３０と、エンジン３２と、エンジンＥＣＵ３４と、ＧＰＳ受信機４０と、メモリ４２と、ＨＭＩ４４と、ナビゲーションコンピューター４６と、充電量制御用ＥＣＵ５０と、を備える。
【００１７】
無線通信装置１０は、例えば、無線基地局７０及びネットワーク８０を介して情報センター１００との間で情報の送受信を行なう。無線通信装置１０と無線基地局７０との間では、携帯電話網、ＰＨＳ（Personal  Handy-phone  System）網、無線ＬＡＮ、ＷｉＭＡＸ（Worldwide  Interoperability  for  Microwave  Access）、衛星電話、ビーコン等を利用した無線通信が行なわれる。また、無線基地局７０と情報センター１００を接続するネットワーク８０は、例えば、公衆電話交換網（PSTN）やデジタル通信ネットワーク（ISDN）、光ファイバ等の有線ネットワークである。従って、無線通信装置１０は、携帯電話と等価な機構を備えるものであってもよいし、市販の携帯電話が、連結、有線接続、又はBluetooth等の短距離無線伝送システムにより車両側と通信可能に接続されたものであってもよい。また、携帯電話以外の機構を有する装置であってもよいのは勿論である。
【００１８】
ここで、情報センター１００とは、例えば、ユーザーとの契約により、ユーザー保有の車両に対して各種情報サービスを提供するための施設である。情報センター１００は、自動車メーカーが運営する民間の施設であってもよいし、警察等が運営する公的な施設であってもよい。
【００１９】
無線通信装置１０は、情報センター１００から受信する種々のサービス情報を、ナビゲーションコンピューター４６に出力する。情報センター１００から受信する情報は、例えば、自車両の現在位置付近の観光情報や渋滞情報、天気予報が含まれ、ナビゲーションコンピューター４６では、これらをＨＭＩ４４により表示又は音声出力する。
【００２０】
また、無線通信装置１０は、事故時等において救援を要請するための緊急通報や、イモビライザーシステム等により自車両が盗難にあったと判断された際の自車両の現在位置の送信等も行なっている。緊急通報時においては、ハンズフリー通話システム等と連携して、情報センター１００内のオペレーターと直接通話が開始されるように自動的に電話回線への接続を行なってもよい。
【００２１】
二次電池２０は、充放電可能な電池であり、例えば、リチウムイオン電池(Li-ion)である。また、これに限定されず、ニッカド電池(NiCd)やニッケル水素電池(NiMH)であってもよいし、他の種類の二次電池であっても構わない。二次電池２０は、無線通信装置１０や空調装置等の車載機器に、作動のための電力を供給する。
【００２２】
二次電池２０は、オルタネータ３０により充電が行なわれる。二次電池２０とオルタネータ３０を接続する電力ラインには、電流センサー２２が接続されており、二次電池２０が入出力する電流値を検出して充電量制御用ＥＣＵ５０に出力している。また、二次電池２０には、その端子間電圧を検出する電圧センサーや温度を検出する温度センサーが取り付けられており、これらの出力値は充電量制御用ＥＣＵ５０に出力される。
【００２３】
オルタネータ３０は、ステータとロータとの間の電磁誘導により交流電流を発生させる交流発電機、ロータの電磁石（フィールドコイル）に供給する電流（励磁電流）を調節して交流発電機の発電電圧が一定の範囲に収まるように制御するＩＣレギュレーター、及び、交流電流を直流電流に変換する変換器等を内蔵する。オルタネータ３０のロータは、エンジン３２のクランクシャフトにベルトやプーリーを介して接続される。オルタネータ３０のＩＣレギュレーターに対する制御信号は、充電量制御用ＥＣＵ５０から入力される。
【００２４】
エンジン３２の運転制御は、エンジンＥＣＵ３４により行なわれる。エンジンＥＣＵ３４は、例えば、ＣＰＵを中心としてＲＯＭやＲＡＭ等がバスを介して相互に接続されたコンピューターユニットであり、その他、各種記憶媒体やＩ／Ｏポート、タイマー、カウンター等を備える。ＲＯＭには、ＣＰＵが実行するプログラムやデータが格納されている。エンジンＥＣＵ３４は、基本的には、アクセルペダルの操作量（アクセル開度）やシフト位置に応じてスロットル開度や点火タイミング等を決定し、所望のエンジン回転数やエンジントルクを実現するようにエンジン３２の運転制御を行なう。また、充電量制御用ＥＣＵ５０から、二次電池２０の充電時のためにエンジン回転数を通常時よりも高くする必要がある旨の要請を受信した際には、これに応じてスロットル開度の補正を行なう。
【００２５】
ＧＰＳ受信機４０は、ＧＰＳ衛星から衛星の軌道と時刻のデータを含む電波信号を受信し、ナビゲーションコンピューター４６に出力する。
【００２６】
メモリ４２は、例えば、ＨＤＤ（Hard  Disc  Drive）やＤＶＤ（Digital  Versatile  Disk）、ＣＤ−ＲＯＭ等の記憶媒体であり、地図情報４２Ａ、及び電界強度マップ４２Ｂが記憶されている。
【００２７】
地図情報４２Ａは、例えば、交差点等を示すノードと、各ノードを接続するリンクと、により道路形状が特定されており、主要な建物や地名、各種施設等の座標（緯度、経度）が併せて記憶されている。
【００２８】
電界強度マップ４２Ｂは、全国各地における電界強度を示すマップである。電界強度とは、ある地点における電波の強さを示す指標値であり、単位［Ｖ／ｍ］で表され、スペクトラムアナライザ等の電界強度測定器を用いて測定される。電界強度マップ４２Ｂは、例えば、プローブ情報システム（車両において収集された情報を無線通信等によりセンターに集積して、情報サービスを行なうシステムをいう）により収集された情報が情報センター１００に集積され、情報センター１００にマップ化されたものが定期的に無線通信装置１０を介してダウンロードされる。電界強度マップ４２Ｂは、各地点における電界強度を有段階の数値により特定するものであってもよいし、連続する数値により特定するものであってもよい。
【００２９】
なお、電界強度マップ４２Ｂは、例えば、所定の座標系上に、電界強度値が各座標点に対応する形で記憶されたものであってもよいし、電界強度値が同一のエリアの外縁線（いわゆる等高線）が当該座標系上で特定されたものであってもよい。従って、地図情報４２Ａと電界強度マップ４２Ｂとの双方を参照することにより、自車両と電界強度値が一定値以上（又は以下）であるエリアとの距離を特定することが可能である。ここで、距離とは、絶対距離であってもよいし、道路に沿って走行した場合の距離であってもよい。
【００３０】
ＨＭＩ４４は、ユーザーと車載ナビゲーション装置の間の入出力インターフェースとなる機器群であり、例えば、画像表示を行なうと共に、タッチパネルとしてユーザーによる種々の入力操作を可能に構成されたディスプレイ装置や、音声入出力のためのマイク、スピーカー、ブザー等からなる。ＨＭＩ４４の出力内容は、ナビゲーションコンピューター４６により決定され、ＨＭＩ４４になされた入力操作は、ナビゲーションコンピューター４６に入力される。
【００３１】
ナビゲーションコンピューター４６は、例えば、エンジンＥＣＵ３４と同様のハードウエア構成を有するコンピューターユニットである。ナビゲーションコンピューター４６は、ＧＰＳ受信機４０が受信した電波信号の時間差に基づく演算により、自車両の現在位置（緯度、経度、高度）を特定する。また、自車両の現在位置は、車速センサーやジャイロセンサー等の各種センサーの出力や、ビーコン受信機及びＦＭ多重放送受信機を介して受信される各種情報に基づいて補正されてよい。
【００３２】
こうして特定された自車両の現在位置は、車載ナビゲーション装置の本来の機能である目的地までの経路案内に用いられる。すなわち、自車両の現在位置から、ユーザーによりＨＭＩ４４を用いて入力された目的地に至る推奨経路をダイクストラ法等により生成し、推奨経路に従って車両が走行できるようにＨＭＩ４４を用いたナビゲーション表示や音声案内を行なう。
【００３３】
また、ナビゲーションコンピューター４６は、前述した情報センター１００との送受信による各種サービスに係る制御を行なう。例えば、自車両の現在位置を情報センター１００に送信して当該位置付近のイベント情報や観光情報等をダウンロードしたり、事故時等に緊急通報を行なったりするように無線通信装置１０に指示する。なお、緊急通報と共に自車両の現在位置を併せて送信すると好適である。
【００３４】
充電量制御用ＥＣＵ５０は、例えば、エンジンＥＣＵ３４と同様のハードウエア構成を有するコンピューターユニットであり、電流センサー２２から入力される電流値の積分により、二次電池２０のＳＯＣ（States  Of  Charge；バッテリの電気容量に対して、充電している電気量の割合を表す値）を把握している。充電量制御用ＥＣＵ５０は、原則的には、無線通信装置１０その他の車載機器の作動状況を把握した上で、二次電池２０のＳＯＣが適切な範囲に維持されるように、オルタネータ３０のＩＣレギュレーターに対して、励磁電流の調節指示を行なう。なお、この適切な範囲とは、例えば、４０〜６０％程度の範囲であり、車載機器に供給するのに十分な電力を蓄えることと、電池寿命との均衡により決定される。以下、この範囲を通常時の適切な範囲と称する。この際に、二次電池２０に取り付けられた電圧センサーや温度センサーの出力値が加味される。また、励磁電流の調節だけでは充電量が不足する場合は、エンジン３２の回転数を通常時よりも高めに維持するようにエンジンＥＣＵ３４に指示してもよい。
【００３５】
［問題点］
ここで、車載機器が通常の使用状態である間は、上記の如く、二次電池２０のＳＯＣを通常時の適切な範囲に維持する制御を行なってもよいのであるが、本実施例の搭載された車両においては、二次電池２０のＳＯＣを、より高く変更する必要がある場面が生じ得る。
【００３６】
例えば、事故時等に緊急通報を行なう際には、迅速に情報センター１００にアクセスすることが求められる。このため、無線通信装置１０が、車両が存する地域をカバーする無線基地局７０に接続されるまで、繰り返し（例えば、１０分間程度の間）、呼びかけ信号等を送信することとなる。また、接続が悪いときには、一時的に無線通信装置１０の出力を上昇させる制御も行なわれる。
【００３７】
このような場面において、無線通信装置１０の作動に必要な電力は二次電池２０により供給される。しかしながら、二次電池２０の電気容量が十分に大きいものでない場合は、そのＳＯＣが通常時の適切な範囲に維持されていたと仮定すると、緊急通報に必要な電力の全てを供給できない可能性がある。なお、二次電池２０は車載機器であるため、スペースやコスト上の制約が生じ、無制限にそのサイズを大きくすることができる性質のものではない。
【００３８】
従って、電波状態の悪い地域において事故が発生した時に緊急通報を行なう等、一時的に電力を大きく消費する可能性のある車両においては、そのような場面に備えて二次電池２０のＳＯＣを高く維持しなければならないこととなる。ところが、いつそのような場面が到来するか不明であれば、例えば車両の始動時において、二次電池２０のＳＯＣがそのような場面に備えるのに十分なＳＯＣに満たない場合、急速に二次電池２０を充電する必要が生じる。
【００３９】
しかしながら、二次電池２０の代表例であるリチウムイオン電池等は、急速に充電されたとき、及びＳＯＣが高く維持されたときに容量劣化が促進され、電池寿命が短くなるという問題を有する。こうした問題から、電波状態の悪い地域を自車両が通過する際には二次電池２０のＳＯＣを一時的に高くし（通常時の適切な範囲の上限付近に維持するものとしてもよい）、それ以外の場合には、二次電池２０のＳＯＣを通常時の適切な範囲に維持する等の制御を行なうことが適切であると考えられる。
【００４０】
［本発明の特徴的な制御］
以上の考察を踏まえ、本実施例の車両用充電量制御装置１では、以下に説明する特徴的な充電量の制御を行なうこととした。図２は、こうした充電量の制御を含め、車両用充電量制御装置１が実行する特徴的な制御の流れを示すフローチャートの一例である。本フローは、前述した経路案内に係る目的地がＨＭＩ４４において設定されたときに開始される。
【００４１】
まず、ナビゲーションコンピューター４６が、上記の如く生成した推奨経路上の電波状態（電界強度）を電界強度マップ４２Ｂから取得する（Ｓ１００）。
【００４２】
そして、電波状態が悪いエリア（電界強度が所定値以下のエリア、以下同じ）を通過する時間帯を予測する（Ｓ１０２）。当該予測は、例えば、推奨経路を基準速度に従って走行したと仮定し、電波状態が悪いエリアに到達する時刻と、当該エリアを脱する時刻を計算することにより行なうことができる。基準速度とは、例えば、上記エリアに至るまでの道路における各区間（例えば、各リンク）に対応して算出される速度であって、各区間の法定速度を、情報センター１００から受信する渋滞情報や、高速道路の存在によって補正した速度である。単に法定速度を用いても構わない。そして、電波状態が悪いエリアに到達する時刻や当該エリアを脱する時刻は、各区間の距離（全長）を当該区間の基準速度で除した区間別所要時間を算出し、これを全区間について加算することによって算出することができる。なお、各区間の距離や法定速度、高速道路の存在は、地図情報４２Ａから把握される。
【００４３】
また、法定速度等に基づいて到達時間を算出する手法に限らず、前述したプローブ情報システム等を利用して車両を追跡することにより到達時間を特定してもよい。すなわち、ある車両が第１地点を通過した時刻と、第２時刻を通過した時刻と、を比較して第１地点から第２地点に至るまでの到達時間を特定する。各地点を通過する車両の特定は、センターと車両との通信、或いはナンバープレートの撮像等により行なうことができる。そして、センターにおいて複数の地点間の到達時間を統合して到達時間情報を作成し、各車両に提供する。
【００４４】
電波状態が悪いエリアを通過する時間帯を予測すると、これを情報センター１００に送信する（Ｓ１０４）。情報センター１００においては、当該時間帯にサービス情報を車両に送信する予定があるか否かを検索し、サービス情報を送信する予定がある場合には、当該サービス情報を送信する予定の時刻を、電波状態が悪いエリアを通過する時間帯を外すように変更する。また、当該時間帯に、車両に対して何らかの情報送信を要求する予定がある場合にも、当該情報送信を要求する予定の時刻を、電波状態が悪いエリアを通過する時間帯を外すように変更する。これらの時刻変更については、サービス情報の内容や情報送信要求の内容に応じて、電波状態が悪いエリアを通過する前に時刻変更するものであってもよいし、電波状態が悪いエリアに到達する時刻と、当該エリアを脱する時刻とのうち、サービス情報の送信予定時刻や情報送信要求予定時刻に近い方に変更するものとしてもよい。
【００４５】
そして、充電量制御用ＥＣＵ５０は、推奨経路上に存在する電波状態が悪いエリア内で緊急通報を行なうのに必要なＳＯＣ（以下、緊急通報時目標ＳＯＣと称する）を計算し（Ｓ１０８）、二次電池２０が徐々に充電されて、電波状態が悪いエリアに到達する時刻において緊急通報時目標ＳＯＣに至るように、オルタネータ３０のＩＣレギュレーターに対して、励磁電流の調節指示を行なう（Ｓ１１０）。すなわち、現在の時刻から電波状態が悪いエリアに到達する時刻までの時間である到達時間が大きくなるほど、充電速度が緩やかになるように、二次電池２０の充電制御を行なう。また、必要に応じて、エンジン３２の回転数を通常時よりも高めに維持するようにエンジンＥＣＵ３４に指示する。これらにより、電波状態が悪いエリアに到達するまでの到達時間が大きくなれば、二次電池２０がより緩やかな充電速度をもって充電されることとなる。
【００４６】
ここで、緊急通報時目標ＳＯＣは、二次電池２０の定格値等に応じて一律に決定されてもよいが、電波状態の程度に基づいて柔軟に決定されると好適である。図３は、電波状態と、これに応じて決定される緊急通報時目標ＳＯＣと、の相関関係の一例を示す図である。図示する如く、電波状態が最も悪い領域において緊急通報時目標ＳＯＣがそれ程高くならないのは、緊急通報は、最初の呼びかけを行なう第１の通信段階と、相手方を発見した後に自車両のＩＤ等を送信する第２の通信段階と、に分けられるのが通常であることに基づく。すなわち、第１の通信段階において消費される電力は第２の通信段階において消費される電力に比して小さいため、全く接続不可能であるような場所においては、第１の通信段階を所定時間、繰り返し実行した後に通信トライを終了するから、それ程の電力消費が想定されないのである。一方、第１の通信段階において相手方を発見した後に、第２の通信段階が完了できずに繰り返し実行されるような場面において（そのような場面が想定される電波状態において）、緊急通報時目標ＳＯＣがピーク値となる。なお、本実施例の場合、電波状態が良いとは、電界強度が大きいことを意味し、電波状態が悪いとは、電界強度が小さいことを意味する。
【００４７】
なお、電波状態が悪いエリアを通過するのに要する時間を更に加味して、緊急通報時目標ＳＯＣを決定してもよい。例えば、電波状態が悪いエリアを通過するのに要する時間が短くなるのに応じて緊急通報時目標ＳＯＣを低下させることが考えられる。すなわち、短時間で電波状態が悪いエリアを通過するときには、緊急通報時目標ＳＯＣを余り上昇させないこととしてよい。これについては、安全面の観点から緊急通報機能を維持することと、二次電池２０の容量劣化の抑制との均衡により適切に定められてよい。
【００４８】
また、推奨経路上の電波状態が悪いエリアが複数存在する場合は、一の電波状態が悪いエリアを脱した後、次の電波状態が悪いエリアに至るまでの間は、一度二次電池２０のＳＯＣを低下させてから再度徐々に上昇させる制御を行なってもよいし、緊急通報時目標ＳＯＣを維持するものとしてもよい。
【００４９】
そして、Ｓ１１０の制御を、目的地に到達するか、推奨経路が変更されるまでの間、実行する（Ｓ１１２、Ｓ１１４）。目的地に到達した場合は本フローを終了し、推奨経路が変更された場合は、Ｓ１００以下の処理を再度実行する。
【００５０】
本実施例の車両用充電量制御装置１によれば、電波状態が悪いエリアに到達する時点において二次電池２０のＳＯＣが緊急通報時目標ＳＯＣに達するように、徐々に二次電池２０を充電することが可能となるため、急速充電を回避して、二次電池２０の劣化を抑制することができる。また、電波状態が悪いエリアを通過しない場合には、二次電池２０のＳＯＣを通常時の適切な範囲に維持することも可能となるため（予め電波状態が悪いエリアを通過しないことが判明しているから）、二次電池２０の劣化をより抑制することができる。しかも、電波状態の程度に応じて緊急通報時目標ＳＯＣを柔軟に決定するため、過剰な充電を回避して二次電池２０の劣化を更に抑制することができる。
【００５１】
従って、無線通信装置に電力を供給する二次電池の充電量を適切に制御することができる。
【００５２】
また、二次電池２０の劣化を抑制しつつその性能を十分に引き出すことが可能であるため、よりサイズの大きい二次電池を車両に搭載する必要が小さくなり、車両における搭載スペースの確保、重量及びコストの低減を図ることができる。
【００５３】
なお、図２のフローチャートにおけるＳ１０８及びＳ１１０の処理と並行し、情報センター１００に情報送信等をする予定があるか否かを検索し、当該予定に係る時刻が、電波状態が悪いエリアを通過する時間帯に該当する場合には、電波状態が悪いエリアを通過する前後に予定時刻を変更する等の制御を行なってもよい。この場合、電波状態が悪いエリアを通過する前に変更するか、後に変更するかは、送信する情報の性質に応じて任意に定めてよい。
【００５４】
［変形例］
以上、本発明を実施するための最良の形態について実施例を用いて説明したが、本発明はこうした実施例に何等限定されるものではなく、本発明の要旨を逸脱しない範囲内において種々の変形及び置換を加えることができる。
【００５５】
例えば、電界強度マップ４２Ｂ、ないしこれに相当する電波状態を把握可能な情報は、情報センター１００において保持するものとしてもよい。この場合、車両側において目的地が設定される度に、情報センター１００から推奨経路上の電波状態を取得するものとすればよい。
【００５６】
また、到達時間に代えて、自車両と電波状態が悪いエリアとの距離が大きくなるほど充電速度が緩やかになるように、二次電池２０の充電制御を行なうものとしてもよい。自車両と電波状態が悪いエリアとの距離は、前述の如く、地図情報４２Ａと電界強度マップ４２Ｂとの双方を参照することにより特定することができる。この際に、推奨経路が設定されていれば、推奨経路上を走行することを前提に、地図情報４２Ａと電界強度マップ４２Ｂとの双方を参照して距離を特定する。なお、到達時間と距離の双方に基づいて（例えば、到達時間が大きくなるほど充電速度が緩やかになるように、且つ距離が大きくなるほど充電速度が緩やかになるように）、二次電池２０の充電制御を行なうものとしてもよい。
【００５７】
また、必ずしも目的地が設定され、推奨経路が生成されたことを開始条件とする必要はない。例えば、車両の進行方向における所定距離以内の領域を、これから自車両が進行する領域であるとみなして、当該領域内の電波状態を取得して、実施例と同様の充電量制御を行なうものとすればよい。
【００５８】
また、電波の強さを示す指標値として電界強度を用いることを例示したが、これに限らず他の指標値を電波の強さとして用いてもよい。例えば、電界強度測定器等を用いて直接的に何らかの指標値を測定するのではなく、車両において各地点で実際に通信可能であったか否かの結果を記憶しておき、これを情報センターで集積してマップ等を作成してもよい。
【００５９】
また、充電量制御用ＥＣＵ５０は、エンジンＥＣＵ３４やナビゲーションコンピューター４６等の車載コンピューターに統合されてもよい。
【産業上の利用可能性】
【００６０】
本発明は、自動車製造業や自動車部品製造業等に利用可能である。
【図面の簡単な説明】
【００６１】
【図１】車両用充電量制御装置１の全体構成の一例を示す図である。
【図２】車両用充電量制御装置１が実行する特徴的な制御の流れを示すフローチャートの一例である。
【図３】電波状態と、これに応じて決定される緊急通報時目標ＳＯＣとの相関関係の一例を示す図である。
【符号の説明】
【００６２】
１    車両用充電量制御装置
１０    無線通信装置
２０    二次電池
２２    電流センサー
３０    オルタネータ
３２    エンジン
３４    エンジンＥＣＵ
４０    ＧＰＳ受信機
４２    メモリ
４２Ａ  地図情報
４２Ｂ  電界強度マップ
４４    ＨＭＩ
４６    ナビゲーションコンピューター
５０    充電量制御用ＥＣＵ
７０    無線基地局
８０    ネットワーク
１００  情報センター
【図１】
2009001123.tif 000003
【図２】
2009001123.tif 000004
【図３】
2009001123.tif 000005